(57)【要約】【課題】  読み取った各画像データについての画像形成枚数を設定することにより、より詳細な設定下で画像形成することが可能な画像形成装置の提供。【解決手段】  複数の頁から構成される原稿を読み取り、読み取った各頁の画像データを記憶部５４に記憶し、記憶部５４に記憶した画像データを読み出して、各頁の画像形成を行う画像形成装置。各頁の画像データを識別情報に対応づけて記憶する識別情報記憶手段５４１と、記憶した識別情報を表示する表示手段５１ａと、識別情報に対応する画像形成枚数を受け付ける手段５１と、識別情報に対応する画像データを、受け付けた画像形成枚数、画像形成する画像形成手段（３４）とを備えている。【選択図】        図２
2005062893.tif 000002
【特許請求の範囲】
【請求項１】
複数の頁から構成される原稿を読み取り、読み取った各頁の画像データを記憶部に記憶し、該記憶部に記憶した画像データを読み出して、各頁の画像形成を行う画像形成装置において、
前記各頁の画像データを識別情報に対応づけて記憶する識別情報記憶手段と、
前記記憶した識別情報を表示する表示手段と、
前記識別情報に対応する画像形成枚数を受け付ける手段と、
前記識別情報に対応する画像データを、前記受け付けた画像形成枚数、画像形成する画像形成手段と
を備えることを特徴とする画像形成装置。
【請求項２】
原稿を特定するための原稿情報を受け付ける手段
を更に備え、
前記識別情報記憶手段は、
前記各頁の画像データを識別情報及び前記受け付けた原稿情報に対応づけて記憶するよう構成してあり、
前記表示手段は、
前記記憶した識別情報及び原稿情報を表示するよう構成してある
ことを特徴とする請求項１に記載の画像形成装置。
【請求項３】
画像形成を行う際の設定に関する設定情報を受け付ける手段
を更に備え、
前記識別情報記憶手段は、
前記各頁の画像データを識別情報、前記受け付けた原稿情報及び設定情報に対応づけて記憶するよう構成してあり、
前記画像形成手段は、
前記識別情報に対応する画像データを、前記受け付けた画像形成枚数、前記設定情報に従って画像形成するよう構成してある
ことを特徴とする請求項２に記載の画像形成装置。
【請求項４】
前記設定情報は、
画像形成する色に関する情報、画像形成の倍率に関する情報、記録紙に対する画像形成面に関する情報、一枚の記録紙に画像形成される画像データ数に関する情報または画像形成の品位に関する情報を含む
ことを特徴とする請求項３に記載の画像形成装置。
【請求項５】
前記識別情報記憶手段に記憶した識別情報または原稿情報に基づいて、画像形成された記録紙を分類して排出する手段
を更に備えることを特徴とする請求項２乃至４のいずれか１項に記載の画像形成装置。
【請求項６】
原稿の読み取りが両面であり、該原稿の裏面の読み取りが終了した場合、該原稿の表裏を反転させて排出する手段
を更に備えることを特徴とする請求項１乃至５のいずれか１項に記載の画像形成装置。
【請求項７】
複数の頁から構成される原稿を読み取り、読み取った各頁の画像データを記憶部に記憶し、該記憶部に記憶した画像データを読み出して、各頁の画像形成を行う画像形成方法において、
前記各頁の画像データを識別情報に対応づけて記憶する識別情報記憶ステップと、
前記記憶した識別情報を表示する表示ステップと、
前記識別情報に対応する画像形成枚数を受け付けるステップと、
前記識別情報に対応する画像データを、前記受け付けた画像形成枚数、画像形成する画像形成ステップと
を備えることを特徴とする画像形成方法。
【請求項８】
原稿を特定するための原稿情報を受け付けるステップ
を更に備え、
前記識別情報記憶ステップは、
前記各頁の画像データを識別情報及び前記受け付けた原稿情報に対応づけて記憶し、
前記表示ステップは、
前記記憶した識別情報及び原稿情報を表示する
ことを特徴とする請求項７に記載の画像形成方法。
【請求項９】
画像形成を行う際の設定に関する設定情報を受け付けるステップ
を更に備え、
前記識別情報記憶ステップは、
前記各頁の画像データを識別情報、前記受け付けた原稿情報及び設定情報に対応づけて記憶し、
前記画像形成ステップは、
前記識別情報に対応する画像データを、前記受け付けた画像形成枚数、前記設定情報に従って画像形成する
ことを特徴とする請求項８に記載の画像形成方法。
【請求項１０】
前記設定情報は、
画像形成する色に関する情報、画像形成の倍率に関する情報、記録紙に対する画像形成面に関する情報、一枚の記録紙に画像形成される画像データ数に関する情報または画像形成の品位に関する情報を含む
ことを特徴とする請求項９に記載の画像形成方法。
【請求項１１】
前記識別情報記憶ステップで記憶した識別情報または原稿情報に基づいて、画像形成された記録紙を分類して排出するステップ
を更に備えることを特徴とする請求項８乃至１０のいずれか１項に記載の画像形成方法。
【請求項１２】
原稿の読み取りが両面であり、該原稿の裏面の読み取りが終了した場合、該原稿の表裏を反転させて排出するステップ
を更に備えることを特徴とする請求項７乃至１１のいずれか１項に記載の画像形成方法。
【発明の詳細な説明】
【技術分野】
【０００１】
本発明は画像形成装置及び画像形成方法に関し、特に原稿の画像を読み取ってディジタル化し、該ディジタル化した画像データを記憶部に記憶し、該記憶部に記憶した画像データを適宜読み出して、希望する枚数または部数分の画像を得るべく入力された初期設定値分の画像形成を行う画像形成装置及び画像形成方法に関する。
【背景技術】
【０００２】
従来のアナログ式の複写機に代わり、複数頁から構成される原稿を走査により読み取り、読み取った画像データをハードディスク装置等に記憶しておき、記憶した画像データを適宜読み出して複写を行うディジタル複写機が開発されている。ディジタル複写機に関しては、例えば特許文献１に開示されている。
【０００３】
特許文献１には、複写処理の終了後、コピー枚数の追加要求がある場合、ハードディスクに記憶した原稿を読み出して、再度コピーを実行する画像形成装置が開示されている。すなわち、個人コードに関連づけて、走査により得られた画像データを記憶しておき、複写終了後、個人データに基づいて、画像データを読み出して再度該画像データに係る複写を実行するものである。
【特許文献１】特開平９−１９０１１７号公報
【発明の開示】
【発明が解決しようとする課題】
【０００４】
特許文献１に開示の画像形成装置では、複写枚数に変更が生じた場合、複写処理が終了してからでなければ、変更後の複写を実行することができず、即応性に欠けるという問題があった。さらに一旦ジョブが終了してから再度複写を行うので、変更前に排出された排紙トレイとは無関係の排紙トレイへ、複写後の形成画像が排出される結果、その排出された形成画像を再度仕分ける必要があり、不便きわまりないものであった。しかも、個人データを入力する必要があり、その入力している時間分だけ処理が遅延するという問題も発生する。
【０００５】
また、読み取られた原稿の各頁の画像形成枚数を詳細に決定することが困難であるという問題もあった。例えば、複数頁から構成される原稿の第１頁から第ｍ頁までは１０部ずつ、第ｍ＋１頁から第ｎ頁までは５部ずつ等、詳細な設定が行えなかった。さらに、画像形成時の倍率、品位等の設定を頁毎にきめ細かに設定することもできないという問題があった。
【０００６】
また、従来は、複数の頁から構成される一の原稿を一度に読み取らせ、その読み取った一の原稿についてのみ画像形成処理を実行していたため、その間、ユーザは前記原稿の画像形成処理が終了するまで、他の原稿の処理を開始することができないという問題があった。
【０００７】
本発明は斯かる事情に鑑みてなされたものであり、その目的とするところは、読み取った各画像データについての画像形成枚数を設定することにより、より詳細な設定下で画像形成することが可能な画像形成方法及び画像形成装置を提供することにある。
【０００８】
また、本発明の他の目的は、種類の異なる原稿の読み取り時に原稿情報を認識させることにより、複数種類の原稿を同時に読み込むことが可能であり、また迅速に画像形成することが可能な画像形成装置及び画像形成方法を提供することにある。
【０００９】
また、本発明の他の目的は、倍率など頁毎の画像形成時の設定情報を受け付けることにより、さらに高度な画像形成を実現することが可能な画像形成装置及び画像形成方法を提供することにある。
【００１０】
また、本発明の他の目的は、頁毎、または原稿毎に分類して画像形成後の記録紙を排出することにより、多くの原稿を画像形成した場合でも、ユーザが画像形成された記録紙を取り扱う際の誤認を防止することが可能な画像形成装置及び画像形成方法を提供することにある。
【００１１】
さらに、本発明の他の目的は、原稿の両面読み取り時に、排出される原稿が頁順に正しく積層された状態で排出される画像形成装置及び画像形成方法を提供することにある。
【課題を解決するための手段】
【００１２】
本発明に係る画像形成装置は、複数の頁から構成される原稿を読み取り、読み取った各頁の画像データを記憶部に記憶し、該記憶部に記憶した画像データを読み出して、各頁の画像形成を行う画像形成装置において、前記各頁の画像データを識別情報に対応づけて記憶する識別情報記憶手段と、前記記憶した識別情報を表示する表示手段と、前記識別情報に対応する画像形成枚数を受け付ける手段と、前記識別情報に対応する画像データを、前記受け付けた画像形成枚数、画像形成する画像形成手段とを備えることを特徴とする。
【００１３】
本発明に係る画像形成装置は、原稿を特定するための原稿情報を受け付ける手段を更に備え、前記識別情報記憶手段は、前記各頁の画像データを識別情報及び前記受け付けた原稿情報に対応づけて記憶するよう構成してあり、前記表示手段は、前記記憶した識別情報及び原稿情報を表示するよう構成してあることを特徴とする。
【００１４】
本発明に係る画像形成装置は、画像形成を行う際の設定に関する設定情報を受け付ける手段を更に備え、前記識別情報記憶手段は、前記各頁の画像データを識別情報、前記受け付けた原稿情報及び設定情報に対応づけて記憶するよう構成してあり、前記画像形成手段は、前記識別情報に対応する画像データを、前記受け付けた画像形成枚数、前記設定情報に従って画像形成するよう構成してあることを特徴とする。
【００１５】
本発明に係る画像形成装置は、前記設定情報は、画像形成する色に関する情報、画像形成の倍率に関する情報、記録紙に対する画像形成面に関する情報、一枚の記録紙に画像形成される画像データ数に関する情報または画像形成の品位に関する情報を含むことを特徴とする。
【００１６】
本発明に係る画像形成装置は、前記識別情報記憶手段に記憶した識別情報または原稿情報に基づいて、画像形成された記録紙を分類して排出する手段を更に備えることを特徴とする。
【００１７】
本発明に係る画像形成装置は、原稿の読み取りが両面であり、該原稿の裏面の読み取りが終了した場合、該原稿の表裏を反転させて排出する手段を更に備えることを特徴とする。
【００１８】
本発明に係る画像形成方法は、複数の頁から構成される原稿を読み取り、読み取った各頁の画像データを記憶部に記憶し、該記憶部に記憶した画像データを読み出して、各頁の画像形成を行う画像形成方法において、前記各頁の画像データを識別情報に対応づけて記憶する識別情報記憶ステップと、前記記憶した識別情報を表示する表示ステップと、前記識別情報に対応する画像形成枚数を受け付けるステップと、前記識別情報に対応する画像データを、前記受け付けた画像形成枚数、画像形成する画像形成ステップとを備えることを特徴とする。
【００１９】
本発明に係る画像形成方法は、原稿を特定するための原稿情報を受け付けるステップを更に備え、前記識別情報記憶ステップは、前記各頁の画像データを識別情報及び前記受け付けた原稿情報に対応づけて記憶し、前記表示ステップは、前記記憶した識別情報及び原稿情報を表示することを特徴とする。
【００２０】
本発明に係る画像形成方法は、画像形成を行う際の設定に関する設定情報を受け付けるステップを更に備え、前記識別情報記憶ステップは、前記各頁の画像データを識別情報、前記受け付けた原稿情報及び設定情報に対応づけて記憶し、前記画像形成ステップは、前記識別情報に対応する画像データを、前記受け付けた画像形成枚数、前記設定情報に従って画像形成することを特徴とする。
【００２１】
本発明に係る画像形成方法は、前記設定情報は、画像形成する色に関する情報、画像形成の倍率に関する情報、記録紙に対する画像形成面に関する情報、一枚の記録紙に画像形成される画像データ数に関する情報または画像形成の品位に関する情報を含むことを特徴とする。
【００２２】
本発明に係る画像形成方法は、前記識別情報記憶ステップで記憶した識別情報または原稿情報に基づいて、画像形成された記録紙を分類して排出するステップを更に備えることを特徴とする。
【００２３】
本発明に係る画像形成方法は、原稿の読み取りが両面であり、該原稿の裏面の読み取りが終了した場合、該原稿の表裏を反転させて排出するステップを更に備えることを特徴とする。
【００２４】
本発明にあっては、複数の頁から構成される原稿を読み取り、読み取った各頁の画像データを識別情報に対応づけて記憶する。識別情報としては、頁番号、通し番号などである。そしてディスプレイ等に識別情報を表示する。画像形成装置は、ユーザが入力した識別情報に対応する画像形成枚数を受け付け、識別情報に対応する画像データを、受け付けた画像形成枚数分、画像形成する。以上のように構成したので、ユーザは頁毎に希望する枚数を、視認して容易に設定することが可能となる。
【００２５】
本発明にあっては、画像形成装置においてユーザが入力した、原稿を特定するための原稿情報を受け付ける。そして、各頁の画像データを識別情報及び原稿情報に対応づけて記憶し、記憶した識別情報及び原稿情報を表示するようにしたので、多種の原稿を読み取らせた場合でも、混同することなく、容易に各原稿に対する各頁の画像形成枚数を設定することが可能となる。
【００２６】
また、本発明にあっては、画像形成装置はユーザが入力した画像形成を行う際の設定に関する設定情報を受け付ける。設定情報としてはモノクロまたはカラー等の画像形成する色に関する情報、拡大率、縮小率等の倍率に関する情報、片面印刷または両面印刷かの画像形成面に関する情報、一枚の記録紙に画像形成する画像データ数に関する情報、または品位に関する情報等がある。画像形成装置は、各頁の画像データを識別情報、受け付けた原稿情報及び設定情報に対応づけて記憶する。そして、識別情報に対応する画像データを、受け付けた画像形成枚数分、設定情報に従って画像形成するようにしたので、原稿または頁毎に詳細な設定を行って、画像形成を実行することが可能となる。
【００２７】
本発明にあっては、記憶した識別情報または原稿情報に基づいて、画像形成された記録紙を分類して排出する。例えば、頁毎または原稿毎に、異なる排紙トレイに分類して排出、または排出方向に対して左右にずらして排出する。以上のように、頁毎または原稿毎に分類して排出するようにしたので、多量の、また多種の原稿が画像形成された場合であっても、ユーザは混同することなく、画像形成された記録紙を得ることが可能となる。
【００２８】
また、表面の読み取り、続いて裏面の読み取りが終了した場合、その原稿は表面が上の状態で排出される。つまり、表面のみの読み取りの場合は、原稿が裏返った状態で排出されるが、両面の読み取りの場合は、原稿が表面のまま排出される。そうすると、これに複数頁の原稿が次々に排出された場合、原稿の頁が逆の順序で積層されることになる。そこで、本発明は原稿の読み取りが両面であり、該原稿の裏面の読み取りが終了した場合、該原稿の表裏を反転させて排出するようにした。これにより、原稿の頁順に積層された状態で排出され、ユーザが記録紙を整理する負担を大幅に低減することが可能となる。
【発明の効果】
【００２９】
本発明にあっては、複数の頁から構成される原稿を読み取り、読み取った各頁の画像データを識別情報に対応づけて記憶する。識別情報としては、頁番号、通し番号などである。そしてディスプレイ等に識別情報を表示する。画像形成装置は、ユーザが入力した識別情報に対応する画像形成枚数を受け付け、識別情報に対応する画像データを、受け付けた画像形成枚数分、画像形成する。以上のように構成したので、ユーザは頁毎に希望する枚数を、視認して容易に設定することが可能となる。
【００３０】
本発明にあっては、画像形成装置においてユーザが入力した、原稿を特定するための原稿情報を受け付ける。そして、各頁の画像データを識別情報及び原稿情報に対応づけて記憶し、記憶した識別情報及び原稿情報を表示するようにしたので、多種の原稿を読み取らせた場合でも、混同することなく、容易に各原稿に対する各頁の画像形成枚数を設定することが可能となる。
【００３１】
また、本発明にあっては、画像形成装置はユーザが入力した画像形成を行う際の設定に関する設定情報を受け付ける。設定情報としてはモノクロまたはカラー等の画像形成する色に関する情報、拡大率、縮小率等の倍率に関する情報、片面印刷または両面印刷かの画像形成面に関する情報、一枚の記録紙に画像形成する画像データ数に関する情報、または品位に関する情報等がある。画像形成装置は、各頁の画像データを識別情報、受け付けた原稿情報及び設定情報に対応づけて記憶する。そして、識別情報に対応する画像データを、受け付けた画像形成枚数分、設定情報に従って画像形成するようにしたので、原稿または頁毎に詳細な設定を行って、画像形成を実行することが可能となる。
【００３２】
本発明にあっては、記憶した識別情報または原稿情報に基づいて、画像形成された記録紙を分類して排出する。例えば、頁毎または原稿毎に、異なる排紙トレイに分類して排出、または排出方向に対して左右にずらして排出する。以上のように、頁毎または原稿毎に分類して排出するようにしたので、多量の、また多種の原稿が画像形成された場合であっても、ユーザは混同することなく、画像形成された記録紙を得ることが可能となる。
【００３３】
また、表面の読み取り、続いて裏面の読み取りが終了した場合、その原稿は表面が上の状態で排出される。つまり、表面のみの読み取りの場合は、原稿が裏返った状態で排出されるが、両面の読み取りの場合は、原稿が表面のまま排出される。そうすると、これに複数頁の原稿が次々に排出された場合、原稿の頁が逆の順序で積層されることになる。そこで、本発明は原稿の読み取りが両面であり、該原稿の裏面の読み取りが終了した場合、該原稿の表裏を反転させて排出するようにした。これにより、原稿の頁順に積層された状態で排出され、ユーザが記録紙を整理する負担を大幅に低減することが可能となる等、本発明は優れた効果を奏し得る。
【発明を実施するための最良の形態】
【００３４】
以下本発明をその実施例を示す図面に基づいて詳述する。
実施の形態１
図１は本発明に係る画像形成装置１の構造を示す模式図である。なお、以下では画像形成装置１を複写機に適用した場合について説明するが、これに限るものではなく、複写機とファクシミリ装置との複合装置、複写機とプリンタとの複合装置、または複写機とファクシミリ装置とプリンタとの組み合わせからなる複合装置であっても良い。画像形成装置１の上面には透明なガラス体の原稿台２が配置されており、その下方にはスキャナ部３が配置されている。スキャナ部３は、露光ランプ３１，第１反射ミラー３２ａ、第２反射ミラー３２ｂ、第３反射ミラー３２ｃ、レンズ３３及びＣＣＤを用いてなる光電変換素子３４を含み、露光ランプ３１及び第１反射ミラー３２ａを原稿台２の下面において水平方向に往復運動させて原稿台２上面に載置された原稿Ｍ（図１０参照）の画像を露光ランプ３１から照射された光によって露光走査する。
【００３５】
露光ランプ３１による反射光は第１反射ミラー３２ａ乃至第３反射ミラー３２ｃ及びレンズ３３を介して光電変換素子３４の受光面に結像し、光電変換素子３４は受光面における受光量に応じた信号を出力する。光電変換素子３４から出力された信号は、制御部５０のＡ／Ｄ変換器５２（図２参照）によりディジタル化され、ハードディスク等の記憶部５４（図２参照）に記憶される。そして、操作パネル等の入力部５１から出力される操作信号に従って、記憶部５４から画像データを読み出して、光学走査装置６へ出力する。
【００３６】
画像形成装置１の中央部には感光体４が矢印方向に回転自在に支持されており、この感光体４には、例えば、所定電圧に印加された導電性ブラシ等の帯電器５が接触可能に設けられており、帯電器５により感光体４の表面は所定電圧に帯電される。そして、感光体４に、制御部５０から出力される画像データに基づいて変調された画像光を、遮光性のケース７０に覆われた光走査装置６から照射し、感光体４上に静電潜像を形成する。現像槽７は感光体４の表面に現像剤を供給し、静電潜像を現像剤画像に顕像化する。
【００３７】
感光体４の回転に先立って給紙ローラ１２の回転によって給紙カセット１０内の記録紙Ｐが一枚ずつ用紙搬送路内に給紙される。給紙された記録紙Ｐは、搬送ローラ１２によりレジストローラ１３へ搬送される。記録紙Ｐは前端部をレジストローラ１３に当接した状態で停止しており、所定のタイミングで回転し記録紙Ｐを感光体４方向へ導く。そして記録紙Ｐの表面に、感光体４に担持された現像剤画像を転写器８により転写し、転写された記録紙Ｐは定着ローラ１４を通過する間に加熱及び加圧される。これにより現像剤画像が溶融して記録紙Ｐの下面に固着する。現像剤画像が固着された記録紙Ｐは排紙ローラ１５により搬送され、そして多段の排紙トレイ１１（１１１，１１２，...１１ｎ...）に排出される。
【００３８】
図２は実施の形態１に係る画像形成装置１の制御部５０の構成を示すブロック図である。図に示すように記憶部５４に各頁の画像データの識別情報を記憶した識別情報記憶ファイル５４１が設けられている。
【００３９】
図３は識別情報記憶ファイル５４１のレコードレイアウトを示す説明図である。図に示すように読み取った各頁の画像データを特定するための識別情報に対応させて頁情報、原稿情報、画像形成枚数、及び設定情報が記憶されている。なお、画像データは記憶部５４に、識別情報に対応させて記憶されている。以下に各フィールドの内容を詳述する。識別情報は、光電変換素子３４から一頁当たりの画像データが入力される度に、識別番号が付されて記憶される。なお、識別情報は読み取った画像データを特定することができるものであれば良く、例えば図に示すような通し番号の他、読み取った時点の日時、または頁番号を識別情報としても良い。
【００４０】
頁情報も画像データが読み込まれる度に一ずつ増加させた値が記憶される。原稿情報は原稿Ｍを特定するための情報である。同一の原稿Ｍを読み込んでいる場合は、図３に示すように原稿情報は同一の番号が記憶される。ここで、前記原稿Ｍとは異なる他の原稿Ｍをセットして読み取りを開始する場合、ユーザは入力部５１から他の原稿Ｍであることを示す原稿情報を入力する。これにより、原稿情報は書き替えられ、画像形成装置１は現在読み取っている画像データが、どの原稿Ｍにかかるものであるかを認識することが可能となる。
【００４１】
図４は原稿情報を入力する際のイメージを示す説明図である。セットされた原稿Ｍが全て読み取られ、さらに追加の原稿Ｍがセットされた場合、図４に示す画面が表示部５１ａに表示される。表示部５１ａには現在までに読み取った頁数の他、原稿Ｍがセットされた旨を示す情報等が表示される。さらにセットされた原稿Ｍが、同じ原稿Ｍであるのか（つまり同原稿Ｍの次の頁か）、または前記原稿Ｍとは異なる他の原稿Ｍであるのかを問う旨の情報を表示部５１ａに表示する。つまり、１つの原稿Ｍの枚数が非常に多く、複数回に分けて原稿Ｍの読み込みを行う場合があり、その場合は入力部から「１」を選択し、一方前の原稿Ｍとは異なる新たな原稿Ｍである場合は「２」を選択する。なお、表示部５１ａの表示内容は、原稿読み取り後新たな原稿Ｍがセットされた場合に表示されるよう、予め記憶部５４に記憶されている。
【００４２】
ここで、入力部５１から原稿情報として「１」、つまり原稿Ｍの続きであることを示す情報を入力した場合は、その情報がＭＰＵ５３に出力され、画像形成装置１は原稿Ｍの読み取りを再開すると共に、原稿Ｍを読み取る度に識別情報記憶ファイル５４１内の頁情報を、さらに一ずつ増加させて記憶する。なお、この場合原稿情報フィールドの記憶内容は維持する。一方、入力部５１から原稿情報として「２」、つまり新たな他の原稿Ｍであることを示す情報が入力された場合は、その情報がＭＰＵ５３に出力され、画像形成装置１は原稿Ｍの読み取りを再開すると共に、識別情報記憶ファイル５４１内の頁情報をクリアし、また原稿情報フィールドの記憶内容をインクリメントする。そして、原稿Ｍを読み取る度にクリアした頁情報として１から新たに頁数を記憶する。
【００４３】
また図３の画像形成枚数フィールドには、ユーザが入力部５１から入力した各頁の画像形成枚数が記憶されている。図５は画像形成枚数を入力する際のイメージを示す説明図である。原稿Ｍの読み取りが終了した場合、ＭＰＵ５３は識別情報記憶ファイル５４１から識別情報、頁情報、原稿情報及び画像形成枚数の各フィールドの記憶内容を読み出して表示部５１ａへ出力する。なお、画像形成枚数は特に指定されていない場合、１枚とデフォルト値が記憶されている。ここでユーザが上下選択ボタンＢ１を操作して、画像形成枚数の設定を行いたい頁を選択し（図の斜線部）、希望する画像形成枚数を入力した場合は、その値が識別情報記憶ファイル５４１に記憶され、また入力後の画像形成枚数が表示される。図に示すように原稿情報「１」の第１頁から第３頁まではそれぞれ画像形成枚数が「１０」枚と記憶されている。このように、識別情報、頁情報及び原稿情報を表示した状態で画像形成枚数の入力を可能にならしめたので、ユーザは混同することなく容易に枚数を設定することが可能となる。
【００４４】
図３の設定情報については、図５の詳細決定ボタンＢ２を入力することにより設定することができる。図６は設定情報を入力する際のイメージを示す説明図である。図に示すように表示部５１ａには頁毎に画像形成すべき色、倍率等の設定項目が表示される。なお、これらの表示内容は予め記憶部５４に記憶されている。ユーザは入力部５１から色等の設定情報に係る設定条件を選択し、ＭＰＵ５３は選択された設定条件を識別情報記憶ファイル５４１に記憶する。なお、特に条件が選択されない場合は、デフォルト値がそのまま記憶される。以下に設定情報の詳細について説明する。
【００４５】
設定情報の「色」は画像形成時に記録紙Ｐに転写される画像の色彩であり、設定条件としてカラー、またはモノクロのいずれかを選択することができる。また、設定情報の「倍率」は原稿画像に対する形成画像の大きさの割合である。設定情報の「画像形成面」は、読み取った原稿Ｍを記録紙Ｐへ画像形成する際に、記録紙Ｐの片面にのみ画像形成するのか、或いは両面に画像形成するのかを識別するための情報である。
【００４６】
また、設定情報の画像データ数は記録紙Ｐ一枚当たりに画像形成される画像データの頁数に関する情報であり、設定条件として記録紙Ｐ一枚当たり１データ、記録紙Ｐ一枚当たり２データ等を設定することができる。例えば、記録紙Ｐ一枚当たり４データである場合は一枚の記録紙Ｐに第ｎ頁から第ｎ＋３頁までの画像データが画像形成される。さらに設定情報の品位は、画像形成時の解像度、印刷モード（例えば、写真モード、テキストモードの選択）等の画像形成レベルに関する情報であり、設定条件として解像度等を選択することができる。
【００４７】
図７及び図８は実施の形態１に係る画像形成処理の手順を示すフローチャートである。まず、画像形成装置１はセットされた原稿Ｍを読み取り（ステップＳ２２１）、読み取った頁の画像データを特定するための識別情報、及び頁情報を識別情報記憶ファイル５４１に記憶する（ステップＳ２２２）。なお、原稿情報には初期値である「１」が記憶される。原稿Ｍの読み取り終了後、画像形成装置１は追加原稿Ｍが存在するか否かを判断する（ステップＳ２２３）。追加原稿Ｍが存在する場合は（ステップＳ２２３でＹＥＳ）、原稿Ｍを特定するための原稿情報を受け付ける（ステップＳ２２４）。すなわち、図４で説明したように、追加された原稿Ｍが、同一の原稿Ｍに係るものであるか、あるいは他の新しい原稿Ｍに係るものであるかを示す原稿情報を入力する。
【００４８】
そして受け付けた原稿情報が、他の新しい原稿Ｍに係るものであることを示す情報であるか否かを判断する（ステップＳ２２５）。他の新しい原稿Ｍである場合（ステップＳ２２５でＹＥＳ）、識別情報記憶ファイル５４１の頁情報を「０」に初期化し、また原稿情報フィールドのデータをインクリメントする（ステップＳ２２６）。すなわち、新たにセットされた原稿Ｍはすでに読み込んだ原稿Ｍとは異なるため、新たな頁番号を付し、また原稿Ｍを特定するための原稿情報を変更する必要がある。
【００４９】
一方、セットされた原稿Ｍが他の原稿Ｍでない場合（ステップＳ２２５でＮＯ）、すなわち原稿Ｍがすでに読み込んだ原稿Ｍの次頁である場合は、記憶してある頁情報及び原稿情報を維持する（ステップＳ２２７）。つまり、次に読み込まれる原稿Ｍは前回読み込んだ原稿Ｍの次頁に該当するため、初期化せず、識別情報記憶ファイル５４１の記憶内容を維持する。
【００５０】
その後、ステップＳ２２１へ移行し、再度原稿Ｍの読み取りを行って（ステップＳ２２１）、識別情報記憶ファイルに読み取った画像データに対応する識別情報、頁情報を記憶する（ステップＳ２２２）。そして追加原稿Ｍが存在しない場合は（ステップＳ２２３でＮＯ）、図５の如く表示部５１ａに識別情報、頁情報、原稿情報及び画像形成枚数等を表示する（ステップＳ２２８）。ユーザが入力部５１から、識別情報をキーに画像形成枚数を入力した場合、画像形成装置１はこれを受け付ける（ステップＳ２３１）。なお、特に画像形成枚数が入力されなかった場合はデフォルト値である「１」が画像形成枚数として設定される。
【００５１】
続いてユーザが各頁の設定条件を設定すべく図５の詳細決定ボタンＢ２を入力した場合、図６に示すように詳細設定モードへ移行し、その内容が表示部５１ａに表示される。ユーザが品位等の設定情報を入力した場合、画像形成装置１は入力された設定情報を受け付ける（ステップＳ２３２）。そして、識別情報記憶ファイル５４１に、識別情報に対応させて受け付けた画像形成枚数及び設定情報を記憶する（ステップＳ２３３）。なお、設定情報が特に入力されない場合は、予め定められた設定情報（デフォルト）が記憶される。例えば色はモノクロ、倍率は１００％等である。
【００５２】
画像形成装置１は記憶部５４に記憶した識別情報に対応する画像データを読み出し、識別情報記憶ファイル５４１に記憶した、画像形成枚数及び設定情報に基づいて画像形成処理を実行する（ステップＳ２３４）。そして、画像形成後の記録紙Ｐを識別情報または画像形成枚数に基づいて分類して排出する（ステップＳ２３５）。なお、分類処理については後述する。
【００５３】
図９は分類排出処理の手順を示すフローチャートである。なお、以下ではグループ印刷の場合について説明し、また排紙トレイ１１は一段しか備えない場合について説明する。まず、識別情報に対応する画像データを読み出し、記憶した設定情報を参照して、画像形成を行い、排紙トレイ１１へ記録紙Ｐを排出する（ステップＳ２４１）。そして識別情報に対応する画像データを記憶した画像形成枚数分、画像形成したか否かを判断する（ステップＳ２４２）。画像形成枚数分、画像形成していない場合（ステップＳ２４２でＮＯ）、ステップＳ２４１へ移行し、画像形成を行い、排出処理を行う。
【００５４】
一方、記憶した画像形成枚数分の、画像形成が終了した場合は（ステップＳ２４２でＹＥＳ）、全ての読み込んだ画像データについて画像形成を行ったか否かを判断する（ステップＳ２４３）。ここで、全ての読み込んだ画像データについて画像形成が終了している場合は（ステップＳ２４３でＹＥＳ）、処理を終了する。一方、全ての読み込んだ画像データについて画像形成が終了していない場合（ステップＳ２４３でＮＯ）、次の画像データの識別情報に対応する原稿情報が、変更されていないかを判断する（ステップＳ２４４）。つまり、次の画像形成対象が他の原稿Ｍであるか否かを判断する。
【００５５】
原稿情報が変更されていない場合（ステップＳ２４４でＮＯ）、つまり同一原稿Ｍについての次頁の画像形成であると判断した場合は、図１の排紙ローラ１５を排出方向に対し左右の方向に移動させ（ステップＳ２４５）、記録紙Ｐを前頁とはずらした位置に排出する。これは、ユーザの仕分けを補助するためであり、次頁の記録紙Ｐについては、前頁の記録紙Ｐよりもずらして排出することとしたものである。なお、複数段の排紙トレイ１１を備える場合は、他の排紙トレイ１１へ記録紙Ｐを排出するようにすればよい。その後ステップＳ２４１へ移行し処理を繰り返す。
【００５６】
一方ステップＳ２４４において、原稿情報が変更されている場合（ステップＳ２４４でＹＥＳ）、すなわち一の原稿Ｍについての画像形成が終了し、他の原稿Ｍについての画像形成が開始される場合、排紙トレイ１１に例えば赤紙等の有色紙を排出する（ステップＳ２４６）。これは、有色紙を種類の異なる原稿Ｍに係る記録紙Ｐ間に、介在させることによってユーザの分類を容易にするためである。その後、排紙ローラ１５を移動させ、ステップＳ２４１へ移行し以上の処理を繰り返す。なお、有色紙を挿入することにより異なる原稿Ｍを識別することとしたが、これに限らず、他の排紙トレイ１１に排出するなど適宜の手段により分類すればよい。なお、ソート印刷の場合も原稿情報が変更される度に、ずらして排出または有色紙を排出するなどして、分類すればよい。
【００５７】
実施の形態２
図１０は原稿台２上の原稿読み取り装置Ｒを示す断面図であり、図１１は実施の形態２に係る制御部５０の構成を示すブロック図である。図１０に示すように透明なガラス体の原稿台２上に原稿Ｍの読み取り、及び原稿Ｍの排出を行う原稿読み取り装置Ｒが載置されている。原稿読み取り装置Ｒは、図１１に示すようにバスを介してＭＰＵ５３に接続されており、ＭＰＵ５３はＲＡＭ５５に記憶した制御プログラムに従い、原稿読み取り装置Ｒの各部位を制御する。
【００５８】
続いて原稿読み取り装置Ｒの詳細について説明する。原稿トレイＲ１に載置された原稿ＭはピックアップローラＲ２とさばき板Ｒ３とによって１枚ずつ主搬送路Ｒ４に搬送される。搬送された原稿Ｍは原稿入紙センサＲ５で原稿Ｍの搬送が確認された後、原稿Ｍの先端と画像読み取りタイミングを調整するために配置されるＰＳローラＲ６で一旦停止し、タイミングを合わせた状態で再搬送される。原稿台２と原稿押さえ板Ｒ８との間を原稿Ｍが通過する際に、原稿台２の下部に設けられるスキャナ部の露光ランプ３１から光が照射され、その反射光は第１反射ミラー３２ａを経由して、実施の形態１で述べたように光電変換素子３４へ結像し、光電変換素子３４は受光量に応じた信号を出力する。
【００５９】
読み取られた原稿Ｍは、搬送ローラＲ１３を介して正逆回転可能に配置される原稿排紙ローラＲ１４を通過し、中間トレイ揺動板Ｒ１５によって、原稿Ｍの進行方向が決定され中間トレイＲ１６、または原稿排紙トレイＲ１７へ搬送される。なお、中間トレイ揺動板Ｒ１５は図に示す上方向であって、原稿Ｍを原稿排紙トレイＲ１７へ搬送する位置を、以下ではホームポジション１（以下ＨＰ１と略す）といい、図に示す下方向（図では点線で示す）であって、原稿Ｍを原稿排紙トレイＲ１６へ搬送する位置を、ホームポジション２（以下ＨＰ２と略す）という。
【００６０】
原稿Ｍの両面を読み取る場合は、表面の読み取り後、中間トレイ揺動板Ｒ１５をＨＰ２へ移動させ、原稿Ｍの一端を原稿排紙ローラＲ１４に挟んだ状態で、原稿Ｍの他端を中間トレイＲ１６へ排出する。なお、この場合、原稿Ｍは裏面が上向きの状態である。続いて、原稿排紙ローラＲ１４を反転し、原稿Ｍを副搬送路Ｒ１８へ送出する。そして、原稿は副搬送路Ｒ１８及び主搬送路Ｒ４を経由して裏面の読み取りが開始される。
【００６１】
裏面の原稿Ｍ読み取り後、原稿Ｍは原稿排紙ローラＲ１４により、ＨＰ２を経由して中間トレイＲ１６へ排出される。なお、原稿Ｍの一端は原稿排紙ローラＲ１４に挟まれている。また、この場合、原稿Ｍは表面が上向きの状態である。さらに、原稿排紙ローラＲ１４を逆方向に回転させ、原稿Ｍを復搬送路Ｒ１８及び主搬送路Ｒ４方向へ送出する。ここで、原稿入紙センサＲ５が原稿Ｍを検出した場合、露光ランプ３１の露光を停止すると共に、中間トレイ揺動板Ｒ１５をＨＰ１方向へ移動させる。
【００６２】
これにより、原稿Ｍは原稿排紙ローラＲ１４から、中間トレイ揺動板Ｒ１５（ＨＰ１）を経由して原稿排紙トレイＲ１７へ排出される。この場合排出される原稿Ｍは表面が下向きの状態で積層される。つまり、裏面の読み取り終了後、単に原稿Ｍを原稿排紙トレイＲ１７へ排出させた場合、原稿Ｍの表面が上向きの状態で逆頁順に積層されるが、本発明では、裏面の読み取り終了後、原稿Ｍの表裏を反転させる処理を介在させることによって、原稿Ｍが頁順に積層されることになる。なお、原稿Ｍの表面のみの読み取りの場合は、中間トレイ揺動板Ｒ１５はＨＰ１に固定される。
【００６３】
図１２は原稿Ｍの読み取りが両面である場合の排出処理手順を示すフローチャートである。まず、ＭＰＵ５３はピックアップローラＲ２を回転させて（ステップＳ２７１）、原稿トレイＲ１上に載置された原稿Ｍを主搬送路Ｒ４へ搬送する。続いて、原稿入紙センサＲ５が原稿Ｍを認識したか否かを判断する（ステップＳ２７２）。原稿を認識しない場合は（ステップＳ２７２でＮＯ）、原稿が認識されるまで処理を繰り返す。一方、原稿を認識した場合は（ステップＳ２７２でＹＥＳ）、中間トレイ揺動板Ｒ１５をＨＰ２へ移動させる（ステップＳ２７３）とともに表面の原稿を読み取り（ステップＳ２７４）、読み取った画像データを記憶部５４に記憶し識別情報等を識別情報記憶ファイル５４１に記憶する。
【００６４】
続いて、原稿Ｍの一端を原稿排紙ローラＲ１４に挟んだ状態で他端を中間トレイＲ１６へ排出する（ステップＳ２７５）。そして、原稿排紙ローラＲ１４を反転させ（ステップＳ２７６）、復搬送路Ｒ１８へ原稿Ｍを送出する。送出後、原稿入紙センサＲ５が原稿Ｍを認識したか否かを判断する（ステップＳ２７７）。原稿を認識しない場合は（ステップＳ２７７でＮＯ）、原稿が認識されるまで処理を繰り返す。一方、原稿を認識した場合は（ステップＳ２７７でＹＥＳ）、裏面の原稿を読み取り（ステップＳ２７８）、読み取った画像データを記憶部５４に記憶し識別情報等を識別情報記憶ファイル５４１に記憶する。
【００６５】
裏面の原稿読み取り後、原稿Ｍの一端を原稿排紙ローラＲ１４に挟んだ状態で他端を中間トレイＲ１６へ排出する（ステップＳ２７９）。そして、原稿排紙ローラＲ１４を反転させ（ステップＳ２７１０）、復搬送路Ｒ１８へ原稿Ｍを送出する。続いて、原稿入紙センサＲ５が原稿Ｍを認識したか否かを判断する（ステップＳ２７１１）。原稿を認識しない場合は（ステップＳ２７１１でＮＯ）、原稿が認識されるまで処理を繰り返す。一方、原稿を認識した場合は（ステップＳ２７１１でＹＥＳ）、中間トレイ揺動板Ｒ１５をＨＰ１へ移動させる（ステップＳ２７１２）とともに露光ランプ３１の露光を停止する（ステップＳ２７１３）。そして、原稿Ｍは裏面が上向きの状態でＨＰ１を経由して原稿排紙トレイＲ１７へ排出される（ステップＳ２７１４）。なお、画像形成装置１を複写機に適用した場合について説明したが、これに限るものではなく、複写機とファクシミリ装置との複合装置、複写機とプリンタとの複合装置、または複写機とファクシミリ装置とプリンタとの組み合わせからなる複合装置であっても良い。
【００６６】
本実施の形態２は以上の如き構成としてあり、その他の構成及び作用は実施の形態１と同様であるので、対応する部分には同一の参照番号を付してその説明を省略する。
【図面の簡単な説明】
【００６７】
【図１】本発明に係る画像形成装置の構造を示す模式図である。
【図２】実施の形態１に係る画像形成装置の制御部の構成を示すブロック図である。
【図３】識別情報記憶ファイルのレコードレイアウトを示す説明図である。
【図４】原稿情報を入力する際のイメージを示す説明図である。
【図５】画像形成枚数を入力する際のイメージを示す説明図である。
【図６】設定情報を入力する際のイメージを示す説明図である。
【図７】実施の形態１に係る画像形成処理の手順を示すフローチャートである。
【図８】実施の形態１に係る画像形成処理の手順を示すフローチャートである。
【図９】分類排出処理の手順を示すフローチャートである。
【図１０】原稿台上の原稿読み取り装置を示す断面図である。
【図１１】実施の形態２に係る制御部の構成を示すブロック図である。
【図１２】原稿の読み取りが両面である場合の排出処理手順を示すフローチャートである。
【符号の説明】
【００６８】
１    画像形成装置
１１  排紙トレイ
５１  入力部
５１  ａ表示部
５４  記憶部
５４１  識別情報記憶ファイル
Ｒ  原稿読み取り装置
Ｒ１５  中間トレイ揺動板
Ｒ１６  中間トレイ
Ｒ１４  原稿排紙ローラ
Ｍ  原稿
【図１】
2005062893.tif 000003
【図２】
2005062893.tif 000004
【図３】
2005062893.tif 000005
【図４】
2005062893.tif 000006
【図５】
2005062893.tif 000007
【図６】
2005062893.tif 000008
【図７】
2005062893.tif 000009
【図８】
2005062893.tif 000010
【図９】
2005062893.tif 000011
【図１０】
2005062893.tif 000012
【図１１】
2005062893.tif 000013
【図１２】
2005062893.tif 000014